(57)【要約】【課題】この発明は、ギヤードモータの配線ミスを防止すると共に、反相リレーの組み込みに必要なスペースおよびコストを節約しつつ、製氷運転開始前に回転異常検知を行うオーガ式製氷機を提供することを課題とする。【解決手段】オーガの回転異常を検知する手段を備えたオーガ式製氷機において、電源投入直後、給水開始前の時点で１秒程度ギヤードモータを空運転させ、正しい方向に回転するかどうかをチェックする。正しい方向に回転しない場合はエラー表示を行い、製氷機を停止させる。この制御により、給水完了後となる製氷運転用のギヤードモータ起動を待たず、給水開始前に配線逆転等による回転異常を検知する。【選択図】図１
2005221129.tif 000002
【特許請求の範囲】
【請求項１】
オーガを駆動するモータと、
前記モータの回転を検知する回転検知手段と、
電源投入手段と、
前記電源投入手段および前記回転検知手段に接続され、前記モータを制御する制御装置とを備えたオーガ式製氷機において、
前記制御装置は、前記電源投入手段による電源投入時に、前記モータを回転させるとともに、前記モータの回転に基づいて、前記モータの回転異常を検知することを特徴とするオーガ式製氷機。
【発明の詳細な説明】
【技術分野】
【０００１】
この発明は、オーガ式製氷機に係り、とくに、ギヤードモータの制御に関するものである。
【背景技術】
【０００２】
オーガ式製氷機は、例えば、ギヤードモータ、カップリング及びハウジング等からなる駆動装置、駆動装置の上部に配設された製氷筒、製氷筒の外周に配設された蒸発器（エバポレータ）、製氷筒の内部に同軸的に配設され、かつ駆動装置により駆動されるオーガなどにより構成されている。そして、製氷運転時に、蒸発器により製氷筒に供給される製氷水を冷却し、製氷筒の内周壁面に薄氷層を形成し、この形成した氷を、ギヤードモータにより回転駆動されるオーガで削り取りながら順次上方に送り、適宜の大きさに切断して連続的に機外に供給するように構成されている。
【０００３】
ところで、上記のように構成されたオーガ式製氷機においては、３相型のギヤードモータの配線ミスにより、オーガの逆回転が生じることがあった。逆回転が生じると、本来製氷筒内を上方に搬送されるべき氷が下方に押さえつけられてしまい、氷ができなくなるばかりでなく製氷機の構成部品に多大なダメージが付与される恐れがある。この問題を回避するために、従来は、反相リレーを組み込み、逆転接続を検知して製氷機を停止させる方法、あるいは特許文献１が開示するようにホールＩＣを使用し、ギヤードモータ起動後に逆転を検知して製氷機を停止させる方法が採用されていた。
【０００４】
【特許文献１】特開２００２―３１８０４２号公報
【発明の開示】
【発明が解決しようとする課題】
【０００５】
しかしながら、上述した反相リレーを組み込む方法においては、組み込みのためのスペースが必要であり、コストも余分にかかるという問題がある。またホールＩＣを使用する方法においては、給水完了後にモータが起動され回転をはじめる時点まで逆転を検知できないため、実際に製氷運転が開始するまで、配線ミス等を検知できないという問題がある。
【０００６】
この発明は、このような問題点を解決するためになされたものであり、ギヤードモータの配線ミスを防止すると共に、反相リレーの組み込みに必要なスペースおよびコストを節約しつつ、製氷運転開始前に回転異常検知を行うオーガ式製氷機を提供することを目的とする。
【課題を解決するための手段】
【０００７】
上述の目的を達成するため、この発明に係るオーガ式製氷機は、オーガを駆動するモータと、モータの回転を検知する回転検知手段と、電源投入手段と、この電源投入手段および回転検知手段に接続され、モータを制御する制御装置とを備えたオーガ式製氷機において、制御装置は、電源投入手段による電源投入時に、モータを回転させるとともに、モータの回転に基づいて、モータの回転異常を検知することを特徴とするものである。
【発明の効果】
【０００８】
この発明によれば、電源投入時にモータを回転させて、回転異常が検知されるので、実際の製氷運転が開始する前の段階でモータの回転方向異常を検知することができ、製氷機の構成部品に多大なダメージを与えることがない。
【発明を実施するための最良の形態】
【０００９】
以下、この発明の実施の形態を添付図面に基づいて説明する。
実施の形態１．
図１に本発明の実施の形態１に係るオーガ式製氷機の一部断面を含む側面図を示す。  オーガ式製氷機１は主に、製氷筒３と、オーガ５と、ギヤードモータ７とを備えている。製氷筒３は、金属からなる上下方向に延長した円筒部材であり、その外周には、螺旋状に延長するエバポレータ９が設けられている。エバポレータ９の周りには、製氷筒３及びエバポレータ９を一緒に囲むように断熱材１１が設けられている。製氷筒３の下部には、製氷筒３の内部に製氷水を供給する給水管１３が接続されている。
【００１０】
オーガ５は、製氷筒３内に回転可能に設けられており、本体部５ａと、その外周に設けられた螺旋刃５ｂとを備えている。オーガ５の上端５ｃは、固定刃１５に支持されている。一方、オーガ５の下端５ｄにはスプライン加工が施されており、下端５ｄは、同様にスプライン加工が施されたギヤードモータ７の駆動力伝達軸１７と、カップリング１９を介して接続されている。
カップリング１９は、ギヤードモータ７のケース及び製氷筒３と接合されるハウジング２１によって覆われている。
【００１１】
図１及び図２に示されるように、製氷筒３の内筒面３ａには、２つのホールＩＣ２７，２９を搭載した基板からなる回転センサ３１が設けられている。また、ギヤードモータ７に連結されたオーガ５の本体部５ａには、回転センサ３１の検知対象であるマグネット３３が埋め込まれている。回転センサ３１は、マグネット３３の磁力を検知可能な位置に取り付けられている。ここで、回転センサ３１およびマグネット３３は、ギヤードモータ７の回転を検知する回転検知手段を構成する。
【００１２】
オーガ式製氷機１の全体は、制御装置であるコントロールボード５０によって制御される。コントロールボード５０はまた、回転センサ３１からの信号も受け取り、ギヤードモータ７および図示しない冷凍回路のコンプレッサの制御も行う。コントロールボード５０には、図示しない操作パネルに取り付けられたオーガ式製氷機１の表示部５２および電源投入手段である電源ボタン５１が接続されている。
【００１３】
次に、実施の形態１に係るオーガ式製氷機の動作について図３のフローチャートに基づいて、説明する。
まず電源ボタン５１が押され、電源が投入されると（ステップＳ１）、コントロールボード５０はその直後にギヤードモータ７を回転させる（ステップＳ２）。この時点では製氷筒内に給水されていないため、無負荷状態での空運転となる。ギヤードモータ７の回転時間はたとえば１秒程度でよい。
ギヤードモータ７が空運転している間に、回転センサ３１からコントロールボード５０に入力される信号を基に、コントロールボード５０はギヤードモータ７の回転方向を判定する（ステップＳ３）。
ステップＳ３において、ギヤードモータ７が、正常の方向に回転していない場合、すなわち正転していない場合、制御部は図示しない操作パネルの表示部５２に、回転異常を知らせるエラー表示を行い（ステップＳ１０）、その後、製氷機の運転、例えば、冷媒回路の機能停止（図示しないコンプレッサの停止）、ギヤードモータ７の停止といった製氷機の運転を停止する（ステップＳ１１）。
【００１４】
一方、ギヤードモータ７が正転している場合は、製氷筒３に給水が開始される（ステップＳ４）。
その後、給水完了を待って（ステップＳ５）、ギヤードモータ７が再度起動される（ステップ６）。その後製氷運転が開始される（ステップＳ７）。
製氷運転が開始されると、図１に示されるように、製氷筒３内に供給された製氷水は、エバポレータ９により冷却されて製氷筒３の内面に層状に氷結する。かかる層状の氷は、回転するオーガ５の螺旋刃５ｂによって掻き取られ、シャーベット状になって上方に送られる。シャーベット状の氷は、固定刃１５において柱状に圧縮される。
【００１５】
このように、上述した実施の形態によれば、オーガ式製氷機は、逆転配線検知のための反相リレーを必要としないため、スペースおよびコストを節約できる。
また、電源投入直後、給水開始前にモータを回転させて検知を行うので、給水しない状態でモータの作動確認を行うことができる。このため、たとえば製氷機設置直後といった実際の製氷作業を開始する前の段階においてテストを行い、空運転によって回転異常を検知することができるので、製氷作業開始時に氷が下方向に押さえつけられることがなく、製氷機へのダメージを回避できる。
【図面の簡単な説明】
【００１６】
【図１】本発明の実施の形態１に係るオーガ式製氷機の一部断面を含む側面図である。
【図２】本発明の実施の形態１に係るオーガ式製氷機のオーガ及び製氷筒に関する横断面を示す図である。
【図３】本発明の実施の形態１に係るオーガ式製氷機の電源投入から製氷運転開始までの制御の流れを示すフローチャートである。
【符号の説明】
【００１７】
１  オーガ式製氷機、５  オーガ、７  モータ、３１  回転センサ、３３  マグネット、５０  コントロールボード（制御装置）、５１  電源ボタン（電源投入手段）。
【図１】
2005221129.tif 000003
【図２】
2005221129.tif 000004
【図３】
2005221129.tif 000005